(57)【要約】【課題】良好なアンテナ感度の確保と良好な審美性の確保とを両立することができる電波時計を提供することを目的とする。【解決手段】電波時計１は、軸線方向に対して文字板の背面側に設けられ当該外装ケースの外部からの電波を受信するアンテナ１４と、軸線方向に対して文字板とアンテナ１４との間に設けられ光エネルギを電気エネルギに変換するソーラーセル９とを備え、ソーラーセル９は、軸線方向に沿ってアンテナ１４と対向して位置し、時計中心軸線Ｘ１を中心とする周り方向Ｚに沿った辺９２ａが当該時計中心軸線Ｘ１を中心とする円弧状に形成された切り欠き部９２を有することを特徴とする。【選択図】図２
2019215169.tif 000002
【特許請求の範囲】
【請求項１】
外装ケースと、
前記外装ケースの内部に設けられる文字板と、
前記外装ケースの時計中心軸線に沿った軸線方向に対して前記文字板の背面側に設けられるアンテナと、
前記軸線方向に対して前記文字板と前記アンテナとの間に設けられるソーラーセルとを備え、
前記ソーラーセルは、前記軸線方向に沿って前記アンテナと対向して位置し、前記時計中心軸線を中心とする周り方向に沿った辺が当該時計中心軸線を中心とする円弧状に形成された切り欠き部を有することを特徴とする、
電波時計。
【請求項２】
前記切り欠き部は、前記周り方向と交差する方向に沿った辺の少なくとも一部が前記時計中心軸線と直交する径方向に沿って形成される、
請求項１に記載の電波時計。
【請求項３】
前記文字板は、前記径方向に沿って設けられ時刻を表すインデックスを含み、
前記切り欠き部は、前記径方向に沿って形成される辺が前記軸線方向に沿って前記インデックスと対向して位置する、
請求項２に記載の電波時計。
【請求項４】
前記アンテナは、電波を受信する放射電極、及び、前記放射電極に給電する給電部を含み、
前記ソーラーセルは、前記切り欠き部が前記軸線方向に沿って前記放射電極と対向して位置し、前記切り欠き部側の端部が前記軸線方向に沿って前記給電部と対向して位置する、
請求項１乃至請求項３のいずれか１項に記載の電波時計。
【請求項５】
前記ソーラーセルは、前記切り欠き部から前記時計中心軸線側とは反対側に延在して貫通する絶縁切断領域を有する、
請求項１乃至請求項４のいずれか１項に記載の電波時計。
【請求項６】
前記外装ケースの内部に設けられ前記軸線方向に対して前記アンテナの範囲内に位置し外部磁場を遮蔽する耐磁板を備え、
前記耐磁板は、前記軸線方向に沿って視て、一部が前記切り欠き部側に突出する、
請求項１乃至請求項５のいずれか１項に記載の電波時計。
【請求項７】
前記アンテナは、平面モノポールアンテナである、
請求項１乃至請求項６のいずれか１項に記載の電波時計。
【発明の詳細な説明】
【技術分野】
【０００１】
本発明は、電波時計に関する。
【背景技術】
【０００２】
従来の電波時計として、例えば、アンテナを介して衛星電波等の時刻情報を含む電波を受信して自機の内部時刻を補正する機能を有する電波時計が知られている。また、従来の電波時計として、例えば、光エネルギを電気エネルギに変換する手段を備える電波時計も知られている（特許文献１、２参照）。
【先行技術文献】
【特許文献】
【０００３】
【特許文献１】特開２０１５−１２７７１５号公報
【特許文献２】特開２０１４−２４０８４５号公報
【発明の概要】
【発明が解決しようとする課題】
【０００４】
ところで、上述のような電波時計は、例えば、良好なアンテナ感度と良好な審美性との両立の点で更なる改善の余地がある。
【０００５】
本発明は、上記の事情に鑑みてなされたものであって、良好なアンテナ感度の確保と良好な審美性の確保とを両立することができる電波時計を提供することを目的とする。
【課題を解決するための手段】
【０００６】
上記目的を達成するために、本発明に係る電波時計は、外装ケースと、前記外装ケースの内部に設けられる文字板と、前記外装ケースの時計中心軸線に沿った軸線方向に対して前記文字板の背面側に設けられるアンテナと、前記軸線方向に対して前記文字板と前記アンテナとの間に設けられるソーラーセルとを備え、前記ソーラーセルは、前記軸線方向に沿って前記アンテナと対向して位置し、前記時計中心軸線を中心とする周り方向に沿った辺が当該時計中心軸線を中心とする円弧状に形成された切り欠き部を有することを特徴とする。
【０００７】
また、上記電波時計では、前記切り欠き部は、前記周り方向と交差する方向に沿った辺の少なくとも一部が前記時計中心軸線と直交する径方向に沿って形成されるものとすることができる。
【０００８】
また、上記電波時計では、前記文字板は、前記径方向に沿って設けられ時刻を表すインデックスを含み、前記切り欠き部は、前記径方向に沿って形成される辺が前記軸線方向に沿って前記インデックスと対向して位置するものとすることができる。
【０００９】
また、上記電波時計では、前記アンテナは、電波を受信する放射電極、及び、前記放射電極に給電する給電部を含み、前記ソーラーセルは、前記切り欠き部が前記軸線方向に沿って前記放射電極と対向して位置し、前記切り欠き部側の端部が前記軸線方向に沿って前記給電部と対向して位置するものとすることができる。
【００１０】
また、上記電波時計では、前記ソーラーセルは、前記切り欠き部から前記時計中心軸線側とは反対側に延在して貫通する絶縁切断領域を有するものとすることができる。
【００１１】
また、上記電波時計では、前記外装ケースの内部に設けられ前記軸線方向に対して前記アンテナの範囲内に位置し外部磁場を遮蔽する耐磁板を備え、前記耐磁板は、前記軸線方向に沿って視て、一部が前記切り欠き部側に突出するものとすることができる。
【００１２】
また、上記電波時計では、前記アンテナは、平面モノポールアンテナであるものとすることができる。
【発明の効果】
【００１３】
本発明に係る電波時計は、外装ケースの内部において文字板の背面側に設けられたアンテナによって外部からの電波を受信することができる。また、電波時計は、外装ケースの内部において文字板とアンテナとの間に設けられたソーラーセルによって光エネルギを電気エネルギに変換し発電することができる。この構成にあって、電波時計は、ソーラーセルにおいて軸線方向に沿ってアンテナと対向する位置に切り欠き部が設けられている。この構成により、電波時計は、アンテナが当該切り欠き部を介して適正に外部からの電波を受信することができ、良好なアンテナ感度を確保することができる。その上で、電波時計は、当該切り欠き部において時計中心軸線を中心とする周り方向に沿った辺が当該時計中心軸線を中心とする円弧状に形成される。この構成により、電波時計は、文字板側から視認した際に、ソーラーセルにおける切り欠き部の境界線を目立ち難くすることができるので、良好な審美性を確保することができる。この結果、電波時計は、良好なアンテナ感度の確保と良好な審美性の確保とを両立することができる、という効果を奏する。
【図面の簡単な説明】
【００１４】
【図１】図１は、実施形態１に係る電波時計の概略構成を表す正面図である。
【図２】図２は、実施形態１に係る電波時計の概略構成を表す断面図（図１に示すＡ−Ａ断面図）である。
【図３】図３は、実施形態１に係る電波時計のアンテナの概略構成を表す模式的な斜視図である。
【図４】図４は、実施形態１に係る電波時計のソーラーセルの概略構成を表す模式的な平面図である。
【図５】図５は、実施形態２に係る電波時計のソーラーセルの概略構成を表す模式的な平面図である。
【図６】図６は、実施形態２の変形例に係る電波時計のソーラーセルの概略構成を表す模式的な平面図である。
【図７】図７は、実施形態３に係る電波時計のソーラーセルの概略構成を表す模式的な平面図である。
【図８】図８は、実施形態３の変形例に係る電波時計のソーラーセルの概略構成を表す模式的な平面図である。
【図９】図９は、実施形態３の変形例に係る電波時計のソーラーセルの概略構成を表す模式的な平面図である。
【図１０】図１０は、変形例に係る電波時計のソーラーセルの概略構成を表す模式的な平面図である。
【発明を実施するための形態】
【００１５】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。なお、以下で説明する図４〜図１０は、出力回転軸の貫通孔や詳細な形状等を省略、簡略化して図示している。また、図４〜図１０は、要部を分かり易くするためアンテナ位置（１０．５時位置）が図中向かって上側に位置するように図示している。
【００１６】
［実施形態１］
図１、図２に示す本実施形態の電波時計１は、衛星電波等の時刻情報を含む電波を受信し、取得された時刻情報に基づいて自機の時計内部時刻を補正する機能を有する電子時計である。本実施形態の電波時計１は、典型的には、ＧＰＳ（ＧＬＯＢＡＬ  ＰＯＳＩＴＩＯＮＩＮＧ  ＳＹＳＴＥＭ）衛星から出力されるＧＰＳ電波を受信する。なお、ＧＰＳ電波は、ＧＰＳ時刻情報を含む電波であり、例えば、１．５ＧＨｚ帯（１５７５．４２ＭＨｚ）と、１．２ＧＨｚ帯（１２２７．６０ＭＨｚ）との２種類が使用される。ここでは、電波時計１は、物理的な指針６によって時刻を表示するアナログ式電子時計である。以下、各図を参照して電波時計１の各構成について詳細に説明する。
【００１７】
なお、以下の説明では、電波時計１の時計中心軸線Ｘ１に沿った方向を「軸線方向Ｘ」といい、時計中心軸線Ｘ１と直交する方向を「径方向Ｙ」といい、時計中心軸線Ｘ１を中心とする円周方向を「周り方向Ｚ」という。軸線方向Ｘは、電波時計１の上下方向に相当し、一方側を「前面側」といい、他方側を「背面側」という。径方向Ｙは、時計中心軸線Ｘ１に近い側を「内側」といい、時計中心軸線Ｘ１から遠い側を「外側」という。ここでは、上記時計中心軸線Ｘ１とは、電波時計１に対して予め設定される基準となる軸線であり、電波時計１の主たる構成の中心軸線に相当する。時計中心軸線Ｘ１は、典型的には、ムーブメントＭＭ１や外装ケース２の中心軸線に相当する。時計中心軸線Ｘ１は、ムーブメントＭＭ１、外装ケース２の形状の幾何学的な重心位置を通る軸線に相当し、例えば、ムーブメントＭＭ１の外形形状、外装ケース２の内形形状が円筒形状である場合には当該円筒形状の中心軸線に相当する。また、上記時計中心軸線Ｘ１は、典型的には、主たる指針（図１においては、後述の秒針６１、分針６２、時針６３）の回転軸線と一致する。
【００１８】
具体的には、電波時計１は、外装ケース２と、風防３と、文字板４と、見返しリング５と、指針６と、操作部７と、ムーブメントＭＭ１とを備える。電波時計１は、外装ケース２の内部に形成された収容空間部２４にムーブメントＭＭ１が収容されると共に文字板４、見返しリング５、指針６が組み付けられ、風防３によってこれら文字板４、見返しリング５、指針６等が保護される。
【００１９】
外装ケース２は、電波時計１の最外郭を構成するものである。外装ケース２は、例えば、チタンやチタン合金等の導電性材料によって形成される。また、外装ケース２は、セラミックスやガラス、樹脂などの非導電性材料によって形成されてもよい。外装ケース２は、本体部２１、裏蓋２２、及び、かん２３を含んで構成される。本実施形態では、本体部２１は、ベゼル部と胴部の組合せのように２部材による分割構造とされており、当該２部材が組み合わさることで時計中心軸線Ｘ１を中心とした略円筒形状に構成される。本体部２１は、軸線方向Ｘの両端部が開口している。裏蓋２２は、本体部２１の軸線方向Ｘの背面側の開口を閉塞する部材である。裏蓋２２は、本体部２１とは別体で構成され、時計中心軸線Ｘ１を中心とした略円板形状に形成される。かん２３は、本体部２１の外周面から突出して形成される。かん２３は、本体部２１と一体で形成される。かん２３は、複数設けられる。かん２３は、ベルト２５が連結される。ベルト２５は、腕等に巻き回されて装着される部材である。
【００２０】
風防３は、本体部２１に組み付けられ、本体部２１の軸線方向Ｘの前面側の開口を閉塞する部材である。風防３は、光を透過する光透過性部材料、より詳細には、ガラス等の透明な材料によって形成される。風防３は、時計中心軸線Ｘ１を中心とした略円板形状に形成される。これにより、風防３は、本体部２１（外装ケース２）の内部を視認させることができると共に、内部に配置される部品を保護することができる。
【００２１】
ここで、収容空間部２４は、上述の外装ケース２（本体部２１及び裏蓋２２）と当該外装ケース２に組み付けられた風防３によって、外装ケース２の内部に形成される閉空間である。本実施形態においては、収容空間部２４は、本体部２１の内部に時計中心軸線Ｘ１を中心とした略円柱形状の空間部として形成される。収容空間部２４は、軸線方向Ｘに沿って背面側（裏蓋２２側）から前面側（風防３側）に向かって、各構成要素がムーブメントＭＭ１、文字板４、見返しリング５、指針６の順で配置される。
【００２２】
文字板４は、軸線方向Ｘに対してムーブメントＭＭ１の前面側で、かつ、風防３越しに視認できるように風防３と対向する位置に配置される。文字板４の形状は、本体部２１の内周形状と同形状または相似形状であり、本実施形態においては、時計中心軸線Ｘ１を中心とした略円板形状に形成される。文字板４は、所定の透過率で光を透過する光透過性部材料によって形成される。また、文字板４は、合成樹脂等の絶縁性材料によって形成される。文字板４は、インデックス４１、及び、日窓４２を含んで構成される。インデックス４１は、時刻を表し、指針６によって指し示される目盛りである。インデックス４１は、文字板４の軸線方向Ｘの前面側の面に周り方向Ｚに沿って等間隔で複数配置される。各インデックス４１は、突状部材でもよいし、文字板４に印刷されてもよい。各インデックス４１は、それぞれ径方向Ｙに沿って延在して設けられる。日窓４２は、後述する日車１２上の文字の一部を視認可能にするための開口部である。日窓４２は、文字板４を軸線方向Ｘに沿って貫通して形成される。
【００２３】
見返しリング５は、文字板４の周縁部を押え、当該文字板４を所定の位置で保持する部材である。見返しリング５は、時計中心軸線Ｘ１を中心とした略円環形状に形成される。見返しリング５は、文字板４の軸線方向Ｘの前面側に設けられ、ムーブメントＭＭ１との間に文字板４を保持する。
【００２４】
指針６は、文字板４のインデックス４１を指し示すことで時刻等の情報を表示する表示部材であり、時計動作部を構成する。指針６は、針状に形成され、文字板４の軸線方向Ｘの前面側に複数設けられる。複数の指針６は、秒針６１、分針６２、時針６３、及び、小針６４を含んで構成される。秒針６１、分針６２、時針６３は、外装ケース２に主針回転軸線Ｘ２を回転中心として回転可能に設けられる主指針を構成する。主針回転軸線Ｘ２は、時計中心軸線Ｘ１と一致する。秒針６１、分針６２、時針６３は、同軸上に配置されている。秒針６１、分針６２、時針６３は、主針回転軸線Ｘ２を回転中心として回転する。一方、小針６４は、外装ケース２に副針回転軸線Ｘ３を回転中心として回転可能に設けられる副指針を構成する。副針回転軸線Ｘ３は、主針回転軸線Ｘ２とは異なる軸線であり、時計中心軸線Ｘ１と平行でかつ当該時計中心軸線Ｘ１からずれて位置する。ここでは、小針６４は、複数設けられており、２つが共通の副針回転軸線Ｘ３を回転中心として回転可能に設けられ、残りがそれぞれ異なる副針回転軸線Ｘ３を回転中心として回転可能に設けられる。またここでは、各小針６４は、各副針回転軸線Ｘ３を回転中心として回転する。
【００２５】
操作部７は、外部操作を受け付ける部分である。操作部７は、外装ケース２の本体部２１から外側に露出するようにして設けられる。本実施形態の操作部７は、リューズ７１、プッシュボタン７２、７３等を含んで構成される。操作部７は、リューズ７１に対する引き出し・回転操作やプッシュボタン７２、７３に対する押下操作に応じてムーブメントＭＭ１内の機構と連動して種々の操作を受け付ける。
【００２６】
ムーブメントＭＭ１は、収容空間部２４に収容され、電波時計１を駆動させる動力機構である。ムーブメントＭＭ１は、電池８、ソーラーセル９、モータ１０、輪列１１、日車１２、基板１３、アンテナ１４、前面側耐磁板１５、及び、背面側耐磁板１６を含んで構成され、これらが種々の部材を介して相互に組み付けられることで１つの構造的なモジュールを構成する。ムーブメントＭＭ１は、収容空間部２４において、軸線方向Ｘに沿って背面側（裏蓋２２側）から前面側（文字板４側）に向かって、背面側耐磁板１６、基板１３、前面側耐磁板１５、日車１２、ソーラーセル９の順で配置される。そして、ムーブメントＭＭ１は、裏蓋２２の軸線方向Ｘの前面側に隣接して電池８が配置される。また、ムーブメントＭＭ１は、基板１３の軸線方向Ｘの前面側の実装面にモータ１０、アンテナ１４が実装される。さらに、ムーブメントＭＭ１は、モータ１０と指針６との間に輪列１１が介在し、当該輪列１１を介してこれらが連結される。
【００２７】
電池８は、電波時計１の電力源であり、収容空間部２４に設けられる。電池８は、例えば、リチウムイオン電池等の二次電池であり、後述するソーラーセル９が発電した電力によって充電される。本実施例においては、電池８は、略円板形状（ボタン形状）に形成され、裏蓋２２の軸線方向Ｘの前面側の面に隣接する位置関係となるように配置される。電池８は、ソーラーセル９が発電した電力によって基板１３（または図示しない他の基板）を介して充電される。電池８は、モータ１０を含む電波時計１の各部に蓄電した電力を供給する。
【００２８】
ソーラーセル９は、電波時計１の発電源であり、光エネルギを電気エネルギに変換する。ソーラーセル９は、収容空間部２４において軸線方向Ｘに対して文字板４の背面側、ここでは、文字板４とアンテナ１４との間に設けられる。より詳細には、ソーラーセル９は、ムーブメントＭＭ１において軸線方向Ｘの最前面側に位置し、軸線方向Ｘに対して文字板４と日車１２との間に設けられる。ソーラーセル９は、時計中心軸線Ｘ１を中心とした略円板形状に形成された発電本体部９１を有し、当該発電本体部９１が光エネルギを電気エネルギに変換する。ソーラーセル９によって発電した電力は、電波時計１の各部に直接供給してもよいし、電池８に供給し当該電池８を充電してもよい。
【００２９】
モータ１０は、電波時計１の動力発生源であり、各部を動作させるための動力を発生させる。モータ１０は、収容空間部２４において軸線方向Ｘに対して文字板４の背面側に設けられる。ここでは、モータ１０は、基板１３の軸線方向Ｘの前面側に配置される。モータ１０は、例えば、ステッピングモータを用いることができ、電池８やソーラーセル９から供給された電力に応じてコイル部が発生させた磁界によって、ステータに対してロータを回転させることで回転動力を発生させ、指針６、日車１２等を回転駆動する。モータ１０は、複数の指針６、日車１２に対して個別に設けられてもよいし、いくつかの指針６、日車１２で兼用されてもよい。
【００３０】
輪列１１は、モータ１０が発生させた回転動力を回転駆動対象物に伝達する機構である。輪列１１による回転駆動対象物は、典型的には、指針６であるが日車１２を含んでいてもよい。輪列１１は、収容空間部２４において軸線方向Ｘに対して文字板４の背面側に設けられる。輪列１１は、モータ１０と指針６との間に介在しこれらを連結するようにして設けられる。輪列１１は、ギヤ、回転軸等の動力伝達部材を含んで構成され、最終的な出力回転軸１１ａが軸線方向Ｘに沿って文字板４を貫通し指針６が設けられる。輪列１１は、モータ１０が発生させた回転動力を減速して指針６に伝達し回転させることで、当該指針６を運針する。輪列１１は、複数の指針６に対して個別に設けられてもよいし、いくつかの指針６で兼用されてもよい。
【００３１】
日車１２は、日付を表示する表示部材であり、時計動作部を構成する。日車１２は、収容空間部２４に時計中心軸線Ｘ１と平行な日車回転軸線を回転中心として回転可能に設けられる。日車１２は、収容空間部２４において軸線方向Ｘに対して文字板４の背面側に設けられる。より詳細には、日車１２は、収容空間部２４において軸線方向Ｘに対してソーラーセル９と前面側耐磁板１５との間に設けられる。ここでは、日車１２は、軸線方向Ｘに対して少なくとも一部がアンテナ１４の範囲内に位置し、少なくとも一部が当該アンテナ１４と略同層で配置される。日車１２は、略円環板形状に形成される。日車１２は、合成樹脂等の絶縁性材料によって形成される。日車１２は、暦を識別する一連の文字群の複数の文字が周方向に等間隔でそれぞれ形成されている。日車１２は、モータ１０によって日車回転軸線を回転中心として回転駆動され日窓４２から露出する位置が遷移することで日付を表示する。
【００３２】
基板１３は、表面または内部に導電性部材による配線パターンを含み、電波時計１の各部を統括的に制御する電子回路、発振回路、モータ１０、アンテナ１４、受信回路（図３で後述する受信回路ＲＸ）等の各部品が配置される。ここでは、基板１３は、時計中心軸線Ｘ１を中心とした略円板形状に形成され、電池８が配置される領域に対応した切欠き部を有する。基板１３は、収容空間部２４において軸線方向Ｘに対して文字板４の背面側に設けられる。より詳細には、基板１３は、収容空間部２４において軸線方向Ｘに対して前面側耐磁板１５と背面側耐磁板１６との間に設けられる。ここで、電子回路や受信回路は、基板１３の前面又は背面のどちらに実装されてもよいが、モータ１０及びアンテナ１４は、前面側に配置されることが好ましい。電子回路は、時刻（時計内部時刻）を計時し、計時した時刻に基づいてモータ１０を制御し、指針６、日車１２を回転させ運針するための種々の回路を含んで構成され、計時された時刻を、現在時刻として指針６、日車１２に表示させる。
【００３３】
アンテナ１４は、外装ケース２の外部からの電波を受信するものである。アンテナ１４は、空間の電磁波（電波）を受信する通信アンテナを構成する。アンテナ１４は、収容空間部２４において軸線方向Ｘに対して文字板４の背面側で基板１３の前面側の実装面に実装される。ここでは、アンテナ１４は、径方向Ｙに対して日車１２の外側に配置される。本実施形態のアンテナ１４は、一例として、平面モノポールアンテナであるものとして説明する。
【００３４】
具体的には、本実施形態のアンテナ１４は、図３に例示するように、一例として、誘電体１４ａ、放射電極１４ｂ、短絡部１４ｃ、及び、給電部１４ｄを含んで構成される。本実施形態のアンテナ１４は、平面モノポールアンテナを構成する。
【００３５】
誘電体１４ａは、アンテナ１４の基部を構成する部分である。誘電体１４ａは、立体形状、ここでは、略直方体形状に形成される。誘電体１４ａは、導電性より誘電性が優位な物質、例えば、非導電性のセラミック等によって形成される。誘電体１４ａは、ジルコニアや酸化チタンなどの誘電率が高い材料を含んで構成されており、波長短縮効果を奏する。誘電体１４ａは、放射電極１４ｂが受信する電波の実質的な波長λ’をＧＰＳ電波の周波数に応じた波長λよりも小さくすることができる。また、誘電体１４ａは、基板１３と放射電極１４ｂとの電気的な距離を離間させる効果がある。
【００３６】
放射電極１４ｂは、電波を受信する部分である。放射電極１４ｂは、誘電体１４ａの前面側の面（前面）である電極配置面１４ｅに設けられる。放射電極１４ｂは、金属等の導電性材料によって形成された略矩形平板形状の構成部である。放射電極１４ｂは、電極配置面１４ｅの大部分の領域を覆い、かつ、電極配置面１４ｅの縁部をコの字形状に露出させるように当該電極配置面１４ｅに配置される。より具体的には、放射電極１４ｂは、電極配置面１４ｅにおける径方向Ｙの一端側の領域、及び、幅方向Ｗの両端の領域を露出させるような位置関係で電極配置面１４ｅに設けられる。ここで、アンテナ１４における幅方向Ｗとは、軸線方向Ｘ、及び、径方向Ｙと直交する方向である。本実施形態の誘電体１４ａは、径方向Ｙが短辺に沿った方向、幅方向Ｗが長辺に沿った方向となるような略直方体形状に形成されている。放射電極１４ｂの各辺は、電極配置面１４ｅの各辺と平行である。なお、放射電極１４ｂは、電極配置面１４ｅが露出しないように、すなわち、電極配置面１４ｅの全体を覆うように設けられてもよい。放射電極１４ｂの各辺は、電極配置面１４ｅの各辺と平行ではなく、所定の傾きをもっていてもよい。放射電極１４ｂの各辺は、直線ではなく、メアンダ形状でもよい。
【００３７】
放射電極１４ｂは、一対の第１の放射辺１４ｆ、及び、第２の放射辺１４ｇを有する。放射辺１４ｆは、アンテナ１４の放射電極１４ｂにおいて電流密度が集中するエッジ部分である。一対の放射辺１４ｆは、それぞれ放射電極１４ｂにおける径方向Ｙに沿った辺である。一対の放射辺１４ｆは、相互に平行、又は、実質的に平行である。放射辺１４ｇは、放射電極１４ｂにおける放射辺１４ｆと実質的に直交する辺、言い換えると幅方向Ｗに沿った辺である。放射電極１４ｂの実質的なアンテナ長は、短絡部１４ｃとの接続部１４ｈから放射辺１４ｇまでの辺の長さ、言い換えれば、放射辺１４ｆの長さに相当する。放射電極１４ｂは、例えば、アンテナ長が短縮後の実質的な波長λ’の１／４の長さとなるように形成されている。
【００３８】
短絡部１４ｃは、放射電極１４ｂの端部と基板１３の前面側に設けられたグランド層ＧＮＤとを電気的に接続する部分である。ここで、グランド層ＧＮＤは、外装ケース２と直接的に接触もしくは容量結合により電気的に接続されている。グランド層ＧＮＤは、軸線方向Ｘに沿って放射電極１４ｂと対向する位置に形成される。短絡部１４ｃは、誘電体１４ａにおける径方向Ｙの一方側の側面１４ｉに設けられる。当該側面１４ｉは、アンテナ１４が基板１３に実装された状態で、誘電体１４ａにおいて径方向Ｙの内側を向く面である。短絡部１４ｃは、金属等の導電性材料によって形成された略矩形平板形状の構成部である。本実施形態の短絡部１４ｃは、側面１４ｉにおいて幅方向Ｗの両端部を露出させるように一対で設けられる。一対の短絡部１４ｃは、側面１４ｉにおいて幅方向Ｗに沿って間隔をあけて設けられる。各短絡部１４ｃは、軸線方向Ｘに沿って側面１４ｉの上端（前面側の端）から下端（背面側の端）まで延在している。各短絡部１４ｃは、上端が接続部１４ｈを介して放射電極１４ｂにつながっており、放射電極１４ｂと電気的に接続されている。各短絡部１４ｃは、下端がグランド層ＧＮＤに電気的に接続されている。
【００３９】
給電部１４ｄは、放射電極１４ｂに給電する部分であり、放射電極１４ｂの端部と受信回路ＲＸとを電気的に接続する部分である。本実施形態の給電部１４ｄは、直接給電によって放射電極１４ｂに給電する直接給電部を構成する。給電部１４ｄは、誘電体１４ａにおいて各短絡部１４ｃが設けられた面と同じ面、すなわち、側面１４ｉに設けられる。給電部１４ｄは、金属等の導電性材料によって形成された略矩形平板形状の構成部である。本実施形態の給電部１４ｄは、幅方向Ｗに対して一対の短絡部１４ｃの間に設けられる。つまり、上述の一対の短絡部１４ｃは、側面１４ｉにおいて幅方向Ｗに対して給電部１４ｄを挟んで当該給電部１４ｄの両側に並んで配置されている。給電部１４ｄは、各短絡部１４ｃと同様に、軸線方向Ｘに沿って側面１４ｉの上端（前面側の端）から下端（背面側の端）まで延在している。一対の短絡部１４ｃ、及び、給電部１４ｄは、仮想の平面Ｓ１に沿って延在している。仮想の平面Ｓ１は、外装ケース２の時計中心軸線Ｘ１と平行な平面である。給電部１４ｄは、各短絡部１４ｃと同様に、上端が接続部１４ｈを介して放射電極１４ｂにつながっており、放射電極１４ｂと電気的に接続されている。ここでは、一対の短絡部１４ｃ、及び、給電部１４ｄは、放射電極１４ｂ側の端部、すなわち、接続部１４ｈ側の端部において互いに接続されている。そして、給電部１４ｄは、下端が受信回路ＲＸに電気的に接続されている。給電部１４ｄは、給電部１４ｄと一対の短絡部１４ｃによってそれぞれ形成されるスリットＳＬの深さ（図３の軸線方向Ｘに沿った長さ）と幅（図３の幅方向Ｗに沿った長さ）等が調整されることでインピーダンスのマッチングが図られている。また、アンテナ１４と受信回路ＲＸとの間には、マッチング回路を設けてもよい。特に給電部１４ｄと受信回路ＲＸとの接続に関しては、マイクロストリップラインで構成することが望ましい。
【００４０】
上記のように構成されるアンテナ１４は、短絡部１４ｃ、給電部１４ｄが径方向Ｙの内側を向き、かつ、誘電体１４ａの放射電極１４ｂ側とは反対側の面が基板１３のグランド層ＧＮＤに接触するような位置関係で基板１３に実装される。このとき、アンテナ１４は、各短絡部１４ｃとグランド層ＧＮＤとが導通する一方、給電部１４ｄとグランド層ＧＮＤとが導通せず受信回路ＲＸと接続されるように設けられる。この状態で、放射電極１４ｂは、一対の短絡部１４ｃ、及び、給電部１４ｄから径方向Ｙの外側に向けて延在している。言い換えると、放射電極１４ｂは、一対の短絡部１４ｃ、及び、給電部１４ｄから外装ケース２の内壁面に向けて径方向Ｙに沿って延在している。本実施形態の給電部１４ｄと放射電極１４ｂとは、上述の通り物理的に接続されている。つまり、本実施形態のアンテナ１４は、放射電極１４ｂに対して給電部１４ｄを介して直接給電により給電がなされる。ここでは、放射辺１４ｇの幅方向Ｗの中央部は、放射辺１４ｆと近接する幅方向Ｗの端部と比較して電位の変動が小さい箇所であるため、当該幅方向Ｗの端部と比較して放射電極１４ｂの受信感度に与える影響が相対的に小さい傾向にある。そしてここでは、アンテナ１４は、放射電極１４ｂの受信感度に与える影響が相対的に大きい傾向にある各放射辺１４ｆが径方向Ｙに沿い、外装ケース２の内壁面に対して垂直に近い角度で交差するような位置関係で収容空間部２４内に配置される（図４も参照）。この構成により、アンテナ１４は、外装ケース２との容量結合を抑制することができ、受信感度の低下を抑制することができる。なお、グランド層ＧＮＤは、アンテナ１４よりも径方向Ｙの内側まで延在している。言い換えれば、グランド層ＧＮＤは、径方向Ｙに対して短絡部１４ｃを挟んで放射電極１４ｂ側とは反対側まで延在している。電波時計１は、上記のように構成されることでアンテナ１４よりも径方向の内側がいわゆるイメージアンテナの領域となる。イメージアンテナは、仮想のアンテナであり、平面モノポールアンテナであるアンテナ１４と対をなす。イメージアンテナは、各短絡部１４ｃを挟んで放射電極１４ｂ側とは反対側に生成されると考えられている。イメージアンテナは、各短絡部１４ｃに関してアンテナ１４と対称な位置に対称な形状で生成される。電波時計１は、当該イメージアンテナによってアンテナ１４の受信感度を向上させることができる。
【００４１】
上述の説明において、グランド層ＧＮＤは、基板１３の前面側において放射電極１４ｂと対向する位置に配置するとしたが、放射電極１４ｂと対向する位置にグランド層ＧＮＤを設けなくてもよい。放射電極１４ｂとグランド層ＧＮＤとを離間させることでアンテナ１４の受信感度を向上させることができる。ただし、短絡部１４ｃとグランド層ＧＮＤとの電気的接続のため、もしくは、アンテナ１４を基板１３に実装する上での実装強度を向上させるために、基板１３において、放射電極１４ｂに対向する位置であって短絡部１４ｃが配置される近傍にはグランド層ＧＮＤを設けても良い。また、それ以外の箇所においてアンテナ１４の実装エリアとしてグランド層ＧＮＤを設けてもよい。
【００４２】
図２に戻って、前面側耐磁板１５、及び、背面側耐磁板１６は、外装ケースの外部からの外部磁場を遮蔽しモータ１０のコイル部等が磁束の影響を受けることを防止するための遮蔽板（シールド）である。前面側耐磁板１５、背面側耐磁板１６は、金属等の導電性材料によって板形状に形成される。前面側耐磁板１５は、収容空間部２４において軸線方向Ｘに対して日車１２の背面側で、かつ、モータ１０の前面側に設けられた第１の耐磁板を構成する。前面側耐磁板１５は、軸線方向Ｘに対してアンテナ１４の電極配置面１４ｅより背面側に位置する。前面側耐磁板１５は、軸線方向Ｘに沿って視て（以下、「軸線方向視」という場合があり、言い換えれば、「平面視」に相当する。）、アンテナ１４と重ならない部分に設けられている。ここでは、前面側耐磁板１５は、軸線方向Ｘに対して全体がアンテナ１４の範囲内に位置し、当該アンテナ１４と略同層で配置される。一方、背面側耐磁板１６は、収容空間部２４において軸線方向Ｘに対して裏蓋２２の前面側に当該裏蓋２２と隣接して設けられた第２の耐磁板を構成する。背面側耐磁板１６は、軸線方向Ｘに対してアンテナ１４の背面側に位置する。背面側耐磁板１６は、軸線方向視にて、電池８と重ならない部分に設けられている。背面側耐磁板１６は、軸線方向Ｘに対して全体が電池８の範囲内に位置し、当該電池８と略同層で配置される。前面側耐磁板１５と背面側耐磁板１６とは、軸線方向Ｘに対して、モータ１０、基板１３を挟んで対向して位置する。これらの構成により、電波時計１は、モータ１０のコイル部等に対する外部磁場の影響を適正に抑制しつつ、薄型化が図られている。なお、前面側耐磁板１５、及び、背面側耐磁板１６は、上記の配置に限られない。例えば、背面側耐磁板１６は、軸線方向視にて、電池８と重なる部分にも設けられ、電池８の軸線方向Ｘの背面側の全体を覆うように配置されてもよい。
【００４３】
上記のように構成される電波時計１は、発振回路及び電子回路によって時刻（時計内部時刻）が計時され、これに基づいてモータ１０が制御されることで指針６、日車１２の回転が制御される。この結果、電波時計１は、文字板４に対する指針６、日車１２の相対的な位置関係に応じて時刻、日付等を表示することができる。また、電波時計１は、アンテナ１４を介して衛星電波等の時刻情報を含む電波を受信し、受信回路及び電子回路によって当該受信した電波に基づいて時計内部時刻を補正することができる。
【００４４】
そして、本実施形態の電波時計１は、図４に示すように、ソーラーセル９に所定の形状の切り欠き部９２が設けられることで良好なアンテナ感度の確保と良好な審美性の確保との両立が図られている。
【００４５】
具体的には、本実施形態のソーラーセル９は、上述した発電本体部９１に加え、発電本体部９１に設けられた切り欠き部９２を有する。切り欠き部９２は、軸線方向Ｘに沿ってアンテナ１４と対向して位置する（図２も参照）。言い換えれば、切り欠き部９２は、軸線方向視（平面視）にてアンテナ１４と対向する位置に形成される。ここでは、アンテナ１４は、文字板４における１０．５時に相当する位置に配置されており、切り欠き部９２は、当該１０．５時に相当する位置に設けられる。
【００４６】
より具体的には、ソーラーセル９は、切り欠き部９２が軸線方向Ｘに沿ってアンテナ１４の放射電極１４ｂと対向して位置する。つまり、切り欠き部９２は、発電本体部９１において軸線方向Ｘに沿ってアンテナ１４の放射電極１４ｂと対向する位置に形成される。切り欠き部９２は、軸線方向Ｘに沿って放射電極１４ｂの略全体と対向する大きさ、形状で形成される。ここでは少なくとも、切り欠き部９２は、軸線方向Ｘに沿ってアンテナ１４の放射辺１４ｆ、１４ｇと対向し、軸線方向視にて発電本体部９１がアンテナ１４の放射辺１４ｆ、１４ｇと重ならない大きさ、形状で形成される。
【００４７】
その上で、ソーラーセル９は、発電本体部９１の切り欠き部９２側の端部（後述する辺９２ａを構成する端部）が軸線方向Ｘに沿ってアンテナ１４の給電部１４ｄ（図４中にも模式的に図示）と対向して位置することで、アンテナ１４との重複部位９３を形成する（図２も参照）。ソーラーセル９のアンテナ１４との重複部位９３は、軸線方向Ｘに沿って、アンテナ１４の放射電極１４ｂにおける短絡部１４ｃ、給電部１４ｄ側の端部と対向する位置に形成される。すなわち、ソーラーセル９のアンテナ１４との重複部位９３は、軸線方向Ｘに沿って、放射電極１４ｂの接続部１４ｈ側の端部と対向する位置に形成される。つまり、当該重複部位９３は、アンテナ１４において比較的にアンテナ感度に対する影響が小さい短絡部１４ｃ、給電部１４ｄ側の端部に発電本体部９１の切り欠き部９２側の端部が重なるような位置関係とされることで形成される。言い換えれば、重複部位９３は、アンテナ１４の径方向Ｙの内側端部と、ソーラーセル９における切り欠き部９２の径方向Ｙの内側端部（後述の辺９２ａの部分）とによって形成される。そして、切り欠き部９２自体は、発電本体部９１において、軸線方向視にて、アンテナ１４と重ならない非重複部位９４を構成する（図２も参照）。
【００４８】
そして、本実施形態の切り欠き部９２は、時計中心軸線Ｘ１を中心とする周り方向Ｚに沿った辺９２ａが当該時計中心軸線Ｘ１を中心とする円弧状に形成される。当該辺９２ａは、切り欠き部９２の径方向Ｙの内側の辺を構成する。切り欠き部９２は、辺９２ａが時計中心軸線Ｘ１を中心とした円の一部を構成する。さらに言えば、当該辺９２ａは、時計中心軸線Ｘ１を中心として略円板形状に形成された文字板４等の同心円の一部を構成する。ここでは、当該辺９２ａは、文字板４における表示領域４３（図１参照）内に位置する辺として形成される。文字板４における表示領域４３とは、文字板４において見返しリング５の内径側に露出した領域であり、軸線方向Ｘの前面側から視認可能な領域である。
【００４９】
一方、切り欠き部９２は、径方向Ｙに沿って当該辺９２ａと対向する側、すなわち、径方向Ｙの外側が径方向Ｙに沿って開放されており、辺が形成されていない。ソーラーセル９は、当該切り欠き部９２において開放された部分が絶縁切断領域９５を構成する。つまり、本実施形態のソーラーセル９は、切り欠き部９２から時計中心軸線Ｘ１側とは反対側、すなわち、径方向Ｙの外側に延在して発電本体部９１を貫通する絶縁切断領域９５を有して構成される。
【００５０】
またここでは、切り欠き部９２は、周り方向Ｚと交差する方向に沿った辺９２ｂがアンテナ１４の放射辺１４ｆと略平行になるように形成される。辺９２ｂは、辺９２ａの周り方向Ｚの両端にそれぞれ１つずつ、一対で形成される。一対の辺９２ｂは、周り方向Ｚに沿って対向する。各辺９２ｂは、辺９２ａの周り方向Ｚの各端と交わり、当該辺９２ａの各端から径方向Ｙの外側に延在する。これら各辺９２ｂも辺９２ａと同様に文字板４における表示領域４３（図１参照）内に位置する辺として形成される。
【００５１】
なお、ソーラーセル９は、発電本体部９１に日窓９６も設けられている。日窓９６は、上述した文字板４の日窓４２と同様に、日車１２上の文字の一部を視認可能にするための開口部であり、軸線方向Ｘに沿って日窓４２と対向する位置に形成される。
【００５２】
以上で説明した電波時計１は、外装ケース２の内部において文字板４の背面側に設けられたアンテナ１４によって外部からの電波を受信することができる。また、電波時計１は、外装ケース２の内部において文字板４とアンテナ１４との間に設けられたソーラーセル９によって光エネルギを電気エネルギに変換し発電することができる。この構成にあって、電波時計１は、ソーラーセル９において軸線方向Ｘに沿ってアンテナ１４と対向する位置に切り欠き部９２が設けられている。この構成により、電波時計１は、アンテナ１４が導電性材料によって形成されたソーラーセル９の発電本体部９１に遮られることなく、当該切り欠き部９２を介して適正に外部からの電波を受信することができ、良好なアンテナ感度（受信感度）を確保することができる。その上で、電波時計１は、当該切り欠き部９２において時計中心軸線Ｘ１を中心とする周り方向Ｚに沿った辺９２ａが当該時計中心軸線Ｘ１を中心とする円弧状に形成される。この構成により、電波時計１は、文字板４側から視認した際に、ソーラーセル９における切り欠き部９２の境界線を構成する辺９２ａを目立ち難くすることができるので、良好な審美性を確保することができる。この結果、電波時計１は、良好なアンテナ感度の確保と良好な審美性の確保とを両立することができる。
【００５３】
例えば、電波時計１は、文字板４の目付模様やその他のデザインを、時計中心軸線Ｘ１を中心とする同心円をモチーフとしたデサインとすることで、辺９２ａをさらに目立ち難くすることができる。これにより、電波時計１は、良好なアンテナ感度の確保と良好な審美性の確保とをより好適に両立することができる。
【００５４】
また、電波時計１は、切り欠き部９２の辺９２ａが円弧状に形成されることで、例えば、辺９２ａが直線状に形成されるような場合と比較して、ソーラーセル９の発電本体部９１による発電面積（受光面積）を相対的に広く確保することも可能となる。この結果、電波時計１は、良好なアンテナ感度、良好な審美性、及び、良好な発電性能をバランスよく確保することができる。
【００５５】
さらに、以上で説明した電波時計１は、ソーラーセル９の切り欠き部９２が軸線方向Ｘに沿ってアンテナ１４の放射電極１４ｂと対向して位置し、発電本体部９１の切り欠き部９２側の端部が軸線方向Ｘに沿って給電部１４ｄ等と対向して位置する。この構成により、電波時計１は、アンテナ１４において比較的にアンテナ感度に対する影響が大きい放射電極１４ｂと対向して切り欠き部９２を位置させた上で、アンテナ１４において比較的にアンテナ感度に対する影響が小さい部位に対して軸線方向Ｘにソーラーセル９の発電本体部９１が重なることを許容した構成とすることができる。この結果、電波時計１は、アンテナ１４の良好なアンテナ感度を確保しつつ、大型化を抑制した上でソーラーセル９の発電本体部９１による発電面積を可能な限り広く確保することができる。したがって、電波時計１は、良好なアンテナ感度を確保した上で、大型化を抑制しつつさらに良好な発電性能を確保することができる。
【００５６】
さらに、以上で説明した電波時計１は、ソーラーセル９が絶縁切断領域９５を有する。この構成により、電波時計１は、ソーラーセル９の切り欠き部９２の部分が閉ループを構成することを阻止することができるので、アンテナ１４によるアンテナ感度の低下を抑制することができる。この結果、電波時計１は、より良好なアンテナ感度を確保することができる。
【００５７】
ここでは、以上で説明した電波時計１は、平面モノポールアンテナを構成するアンテナ１４において上記のように良好なアンテナ感度を確保することができる。
【００５８】
［実施形態２］
実施形態２に係る電波時計は、切り欠きの形状が実施形態１とは異なる。以下では、上述した実施形態と同様の構成要素には共通の符号が付されるとともに、共通する構成、作用、効果については、重複した説明はできるだけ省略する（以下、同様。）。
【００５９】
図５に示す本実施形態に係る電波時計１は、ムーブメントＭＭ１にかえてムーブメントＭＭ２を備える点で上述の電波時計１と異なる。ムーブメントＭＭ２は、ソーラーセル９にかえてソーラーセル２０９を備える点で上述のムーブメントＭＭ１と異なる。ムーブメントＭＭ２のその他の構成は、当該ムーブメントＭＭ１と略同様の構成である。本実施形態のソーラーセル２０９は、切り欠き部９２にかえて切り欠き部２９２を備える点で上述のソーラーセル９と異なる。ソーラーセル２０９のその他の構成は、当該ソーラーセル９と略同様の構成である。
【００６０】
本実施形態の切り欠き部２９２は、辺２９２ｂの形状が上述の切り欠き部９２と異なる。切り欠き部２９２のその他の構成は、当該切り欠き部９２と略同様の構成である。切り欠き部２９２は、周り方向Ｚと交差する方向に沿った辺２９２ｂの少なくとも一部が時計中心軸線Ｘ１と直交する径方向Ｙに沿って形成される。ここでは、切り欠き部２９２は、辺２９２ｂの全体が径方向Ｙに沿って形成される。辺２９２ｂは、辺９２ａの周り方向Ｚの両端にそれぞれ１つずつ、一対で形成される。一対の辺２９２ｂは、周り方向Ｚに沿って対向する。各辺２９２ｂは、辺９２ａの周り方向Ｚの各端と交わり、当該辺９２ａの各端から径方向Ｙの外側に延在する。各辺２９２ｂは、それぞれ時計中心軸線Ｘ１を中心として径方向Ｙに沿って略放射状に形成される。これにより、本実施形態の切り欠き部２９２は、全体として、時計中心軸線Ｘ１から径方向Ｙの外側に向かうに従って周り方向Ｚに沿った幅が広くなるような扇帯形状に形成される。これら各辺２９２ｂも辺９２ａと同様に文字板４における表示領域４３（図１参照）内に位置する辺として形成される。
【００６１】
この場合、切り欠き部２９２は、径方向Ｙに沿って形成される上記各辺２９２ｂが軸線方向Ｘに沿って文字板４のインデックス４１（図５中にも一点鎖線で図示）と対向して位置することが好ましい。ここで、インデックス４１は、上述したように、文字板４の軸線方向Ｘの前面側の面に、径方向Ｙに沿って設けられる。各辺２９２ｂは、軸線方向視にて、いずれかのインデックス４１と重なる位置に形成されることが好ましい。例えば、インデックス４１が文字板４における１０．５時位置と時計中心軸線Ｘ１とを結んだ線Ｌ１を基準とし、時計中心軸線Ｘ１を中心として３０°毎に等間隔で設けられているものと仮定する。この場合、各辺２９２ｂは、時計中心軸線Ｘ１を中心として線Ｌ１となす角度が３０°×Ｎ（Ｎ＝自然数）となる放射線上に位置するように形成されることが好ましい。
【００６２】
以上で説明した本実施形態の電波時計１は、実施形態１における電波時計１と同様に、良好なアンテナ感度の確保と良好な審美性の確保とを両立することができる。
【００６３】
そしてさらに、以上で説明した本実施形態の電波時計１は、切り欠き部２９２を形成する辺２９２ｂが径方向Ｙに沿って形成され、時計中心軸線Ｘ１を中心とする略放射状に形成される。この構成により、本実施形態の電波時計１は、文字板４側から視認した際に、ソーラーセル９における切り欠き部２９２の境界線を構成する各辺２９２ｂをより目立ち難くすることができるので、より良好な審美性を確保することができる。また、この構成により、本実施形態の電波時計１は、例えば、上述した辺９２ｂと比較して、各辺２９２ｂをアンテナ１４の放射辺１４ｆからより離間させて位置されることができるので、より良好なアンテナ感度を確保することができる。この結果、本実施形態の電波時計１は、良好なアンテナ感度の確保と良好な審美性の確保とをより好適に両立することができる。
【００６４】
また、以上で説明した本実施形態の電波時計１は、切り欠き部２９２の各辺２９２ｂが軸線方向Ｘに沿って文字板４のインデックス４１と対向して位置することが好ましい。この場合、本実施形態の電波時計１は、軸線方向視にて、各辺２９２ｂをインデックス４１と重なるように位置させることができるので、文字板４側から視認した際に、各辺２９２ｂをさらに目立ち難くすることができ、さらに良好な審美性を確保することができる。この点でも、本実施形態の電波時計１は、良好なアンテナ感度の確保と良好な審美性の確保とをより好適に両立することができる。
【００６５】
ここで、上記のように構成される本実施形態の電波時計１は、図５中に二点鎖線で示すように、前面側耐磁板１５の一部が切り欠き部２９２側に突出するようにして構成されてもよい。ここで、前面側耐磁板１５は、上述したように、軸線方向Ｘに対して、アンテナ１４の電極配置面１４ｅより文字板４側とは反対側、すなわち、背面側で、かつ、アンテナ１４の範囲内に位置する耐磁板である（図２参照）。この場合、本実施形態の電波時計１は、前面側耐磁板１５の一部が切り欠き部２９２側に突出していても、当該前面側耐磁板１５がアンテナ１４に対して上記の位置関係で配置されていることで、当該前面側耐磁板１５がアンテナ１４による電波の受信の妨げになることを抑制することができる。この結果、本実施形態の電波時計１は、大型化を抑制しつつ良好なアンテナ感度を維持することができ、その上で適正な耐磁性能を確保することができる。
【００６６】
なお、以上の説明では、切り欠き部２９２は、各辺２９２ｂが軸線方向Ｘに沿って文字板４のインデックス４１と対向して位置することが好ましいものとして説明したが、必ずしも対向して位置していなくてもよい。
【００６７】
また、以上の説明では、切り欠き部２９２は、各辺２９２ｂの全体が径方向Ｙに沿って形成されるものとして説明したがこれに限らない。
【００６８】
［実施形態２の変形例］
図６に示す実施形態２の変形例に係るムーブメントＭＭ２Ａのソーラーセル２０９Ａは、切り欠き部２９２Ａの形状が上述の切り欠き部２９２の形状と異なる。切り欠き部２９２Ａは、周り方向Ｚと交差する方向に沿った辺２９２ｂＡの一部だけが径方向Ｙに沿って形成される点で上述の切り欠き部２９２の形状と異なる。本変形例の各辺２９２ｂＡは、時計中心軸線Ｘ１側、すなわち、径方向Ｙの内側の部分２９２ｂａが径方向Ｙに沿って形成される。一方、各辺２９２ｂＡは、時計中心軸線Ｘ１側とは反対側、すなわち、径方向Ｙの外側の部分２９２ｂｂがアンテナ１４の放射辺１４ｆと略平行になるように形成される。
【００６９】
この場合であっても、本変形例の電波時計１は、良好なアンテナ感度の確保と良好な審美性の確保とを両立することができる。
【００７０】
ここでは、本変形例の電波時計１は、切り欠き部２９２の境界線を構成する各辺２９２ｂＡにおいて部分２９２ｂａが時計中心軸線Ｘ１を中心とする略放射状に形成されることで、当該部分２９２ｂａをより目立ち難くすることができる。一方、本変形例の電波時計１は、切り欠き部２９２の境界線を構成する各辺２９２ｂＡにおいて部分２９２ｂｂがアンテナ１４の放射辺１４ｆと略平行になるように形成されることで、発電本体部９１による発電面積をより広く確保することができる。この結果、本変形例の電波時計１は、良好な審美性の確保と良好な発電性能の確保とをバランスよく実現することができる。
【００７１】
［実施形態３］
実施形態３に係る電波時計は、切り欠きの形状が実施形態１、２とは異なる。
【００７２】
図７に示す本実施形態に係る電波時計１は、ムーブメントＭＭ２にかえてムーブメントＭＭ３を備える点で上述の電波時計１と異なる。ムーブメントＭＭ３は、ソーラーセル２０９にかえてソーラーセル３０９を備える点で上述のムーブメントＭＭ２と異なる。ムーブメントＭＭ３のその他の構成は、当該ムーブメントＭＭ２と略同様の構成である。本実施形態のソーラーセル３０９は、切り欠き部２９２にかえて切り欠き部３９２を備える点で上述のソーラーセル２０９と異なる。ソーラーセル３０９のその他の構成は、当該ソーラーセル２０９と略同様の構成である。
【００７３】
本実施形態の切り欠き部３９２は、径方向Ｙに沿って当該辺９２ａと対向する側、すなわち、径方向Ｙの外側の部分の形状が上述の切り欠き部２９２と異なる。切り欠き部３９２のその他の構成は、当該切り欠き部２９２と略同様の構成である。
【００７４】
本実施形態の切り欠き部３９２は、径方向Ｙに沿って当該辺９２ａと対向する側、すなわち、径方向Ｙの外側において一部だけが径方向Ｙに沿って開放されており、残りの部分に辺３９２ｃが形成されている。そして、本実施形態の切り欠き部３９２は、辺９２ａに加えて、周り方向Ｚに沿った当該辺３９２ｃも当該時計中心軸線Ｘ１を中心とする円弧状に形成される。当該辺３９２ｃは、切り欠き部３９２の径方向Ｙの外側の辺を構成する。
【００７５】
切り欠き部３９２は、辺３９２ｃが時計中心軸線Ｘ１を中心とした円の一部を構成する。さらに言えば、当該辺３９２ｃは、時計中心軸線Ｘ１を中心とした円弧状に形成された辺９２ａの同心円の一部を構成する。ここでは、当該辺３９２ｃは、辺９２ａと同様に、文字板４における表示領域４３（図１参照）内に位置する辺として形成される。
【００７６】
そして、ソーラーセル３０９は、当該切り欠き部３９２の径方向Ｙの外側において径方向Ｙに沿って開放された一部分が絶縁切断領域３９５を構成する。つまり、本実施形態のソーラーセル３０９は、切り欠き部３９２から時計中心軸線Ｘ１側とは反対側、すなわち、径方向Ｙの外側に延在して発電本体部９１を貫通する絶縁切断領域３９５を有して構成される。そして、この絶縁切断領域３９５は、上記辺３９２ｃを２つに分断するように形成されている。本実施形態の発電本体部９１は、切り欠き部３９２の径方向Ｙの外側において、周り方向Ｚに沿って当該切り欠き部３９２の内方側に向けて突出する一対の円弧状延在部３９１ａを有する。この一対の円弧状延在部３９１ａは、時計中心軸線Ｘ１を中心として周り方向Ｚに沿って円弧状に突出して形成される。また、一対の円弧状延在部３９１ａは、周り方向Ｚに沿って対向し、互いに接近するように形成される。そして、上述の２つの辺３９２ｃは、それぞれ当該一対の円弧状延在部３９１ａの径方向Ｙの内側の辺を構成する。そして、ソーラーセル３０９は、周り方向Ｚに対して上記一対の円弧状延在部３９１ａの間に絶縁切断領域３９５が形成される。ここでは、絶縁切断領域３９５は、文字板４における１０．５時位置に相当する位置に形成されている。なおこの場合であっても、ソーラーセル３０９は、切り欠き部３９２が軸線方向Ｘに沿ってアンテナ１４の放射電極１４ｂと対向して位置し、軸線方向視にて、各円弧状延在部３９１ａが放射電極１４ｂの放射辺１４ｆ、１４ｇ等と重ならないように形成されている。
【００７７】
以上で説明した本実施形態の電波時計１は、切り欠き部３９２において時計中心軸線Ｘ１を中心とする周り方向Ｚに沿った辺９２ａに加えて、辺３９２ｃも当該時計中心軸線Ｘ１を中心とする円弧状に形成される。この構成により、本実施形態の電波時計１は、文字板４側から視認した際に、切り欠き部３９２の境界線を構成する辺９２ａに加えて、辺３９２ｃも目立ち難くすることができるので、良好な審美性を確保することができる。この結果、本実施形態の電波時計１は、上述した他の実施形態の電波時計１と同様に、良好なアンテナ感度の確保と良好な審美性の確保とを両立することができる。
【００７８】
さらに、以上で説明した本実施形態の電波時計１は、ソーラーセル３０９が絶縁切断領域３９５を有する。この構成により、本実施形態の電波時計１は、電波時計１等と同様に、ソーラーセル３０９の切り欠き部３９２の部分が閉ループを構成することを阻止することができるので、アンテナ１４による受信感度の低下を抑制することができる。その上で、本実施形態の電波時計１は、絶縁切断領域９５が切り欠き部３９２の一部のみに形成され、発電本体部９１が切り欠き部３９２の径方向Ｙの外側に円弧状延在部３９１ａを有するように構成される。この結果、本実施形態の電波時計１は、発電本体部９１による発電面積をより広く確保することができるので、良好な審美性の確保と良好な発電性能の確保とをよりバランス良く両立することができる。
【００７９】
なお、以上の説明では、ソーラーセル３０９は、切り欠き部３９２において辺９２ａ、及び、辺３９２ｃの双方が時計中心軸線Ｘ１を中心とする円弧状に形成されるものとして説明したがこれに限らない。
【００８０】
［実施形態３の変形例１］
図８に示す実施形態３の変形例１に係るムーブメントＭＭ３Ａのソーラーセル３０９Ａは、切り欠き部３９２Ａの形状が上述の切り欠き部３９２の形状と異なる。ここでは、切り欠き部３９２Ａは、時計中心軸線Ｘ１を中心とする円弧状に形成された辺３９２ｃを備えるが、辺９２ａは備えず、全体として、時計中心軸線Ｘ１から径方向Ｙの外側に向かうに従って周り方向Ｚに沿った幅が広くなるような扇形状に形成される。ここでは、ソーラーセル３０９Ａは、アンテナ１４との重複部位９３を形成しない。
【００８１】
この場合であっても、本変形例の電波時計１は、良好なアンテナ感度の確保と良好な審美性の確保とを両立することができる。そしてこの場合、本変形例の電波時計１は、アンテナ１４の誘電体１４ａとソーラーセル３０９Ａとの間に重複部位が形成されているが、放射電極１４ｂとソーラーセル３０９Ａとの間には重複部位が形成されていないことから、より確実に良好なアンテナ感度を確保することができる。
【００８２】
また、以上の説明では、絶縁切断領域３９５は、文字板４における１０．５時位置に相当する位置に形成されるものとして説明したがこれに限らない。また例えば、以上で説明した円弧状延在部３９１ａは、一対で設けられなくてもよい。
【００８３】
［実施形態３の変形例２］
図９に示す実施形態３の変形例２に係るムーブメントＭＭ３Ｂのソーラーセル３０９Ｂは、発電本体部９１において円弧状延在部３９１ａが１つ設けられており、切り欠き部３９２Ｂにおいて絶縁切断領域３９５Ｂが相対的に広く形成されている。図８に示した変形例１では、時計中心軸線Ｘ１を中心とする円弧状に形成された辺３９２ｃは、一対の円弧状延在部３９１ａのそれぞれに備えられていたが、本変形例では、円弧状延在部３９１ａが一箇所であるので、時計中心軸線Ｘ１を中心とする円弧状に形成された辺３９２ｃも１箇所のみである。この場合、本変形例の電波時計１は、例えば、アンテナ１４が文字板４における１０．５時位置に配置された場合には、時計装着時に文字板４における９時位置方向が天頂に向きやすい傾向にあるため、１０．５時位置を基準として９時位置側に絶縁切断領域３９５Ｂが向くように当該絶縁切断領域３９５Ｂが形成されることが好ましい。このように構成されることで、本変形例の電波時計１は、アンテナ１４による受信感度をさらに向上することが可能となる場合がある。なお、アンテナ１４は、３時位置側のリューズ７１等が設けられる領域から外れた６時位置−９時位置−１２時位置の間に配置される傾向にあるが、このような場合にもアンテナ１４の配置位置に配慮しつつ絶縁切断領域３９５Ｂが極力９時位置側を向くように構成されることが好ましい。
【００８４】
なお、上述した本発明の実施形態に係る電波時計は、上述した実施形態に限定されず、特許請求の範囲に記載された範囲で種々の変更が可能である。本実施形態に係る電波時計は、以上で説明した実施形態、変形例の構成要素を適宜組み合わせることで構成してもよい。
【００８５】
以上の説明では、アンテナ１４は、平面モノポールアンテナを構成するものとして説明したがこれに限らない。アンテナ１４は、平面モノポールアンテナの形状として例示した以外の様々な形状が採用可能である。以上の説明では、給電部１４ｄは、直接給電によって放射電極１４ｂに給電する直接給電部を構成するものとして説明したがこれに限らない。例えば、アンテナ１４は、いわゆる電磁結合型の平面モノポールアンテナを構成するものであってもよい。この場合、給電部１４ｄは、電磁結合によって放射電極１４ｂに給電する電磁給電部を構成する。つまり、アンテナ１４は、給電部１４ｄと放射電極１４ｂとが物理的に接触しておらず、離間しており、給電部１４ｄと放射電極１４ｂとが電磁結合することで、放射電極１４ｂに非接触方式の給電がなされる。
【００８６】
また、以上の説明では、給電部１４ｄは、誘電体１４ａにおいて各短絡部１４ｃが設けられた側面１４ｉに設けられるものとして説明したがこれに限らない。給電部１４ｄは、各短絡部１４ｃが設けられた側面１４ｉとは異なる面に設けられていてもよく、例えば、誘電体１４ａの側面１４ｉと対向する面、すなわち、径方向Ｙの外側の側面に設けられていてもよい。また、短絡部１４ｃと給電部１４ｄとは、配置関係がこの逆でもよい。また、以上の説明では、誘電体１４ａは、略直方体形状に形成されるものとして説明したがこれに限らない。また、以上で説明した放射電極１４ｂは、誘電体１４ａにおける電極配置面１４ｅ以外の面まで延在していてもよい。
【００８７】
また、アンテナ１４は、いわゆるパッチアンテナや逆Ｆ型アンテナ、コイルアンテナであってもよい。例えば、図１０に示すアンテナの変形例に係るムーブメントＭＭ２Ｂのアンテナ２１４Ｂは、いわゆるパッチアンテナ（平面アンテナ）を構成する点で、上述のアンテナ１４と異なる。アンテナ２１４Ｂは、誘電体２１４ａＢ、及び、放射電極２１４ｂＢを有する。誘電体２１４ａＢは、略正方形板状に形成される。放射電極２１４ｂＢは、略正方形板状に形成され、誘電体２１４ａＢにおける軸線方向Ｘの前面側の面（前面）である電極配置面２１４ｅＢに設けられる。放射電極２１４ｂＢは、径方向Ｙの内側に位置する給電部２１４ｄＢを介して給電される。ここでも、ソーラーセル２０９は、発電本体部９１の切り欠き部９２側の端部（辺９２ａを構成する端部）が軸線方向Ｘに沿ってアンテナ２１４Ｂの給電部２１４ｄＢと対向して位置することで、アンテナ２１４Ｂとの重複部位９３を形成している。この場合であっても、本変形例の電波時計１は、パッチアンテナを構成するアンテナ２１４Ｂにおいて上記のように良好なアンテナ感度の確保と良好な審美性の確保とを両立することができる。
【００８８】
また、以上の説明では、アンテナ１４、２１４Ｂの受信対象は、ＧＰＳ電波であるものとして説明したがこれに限らない。アンテナ１４、２１４Ｂの受信対象は、ＧＰＳ衛星以外の衛星から出力される電波であってもよいし、Ｂｌｕｅｔｏｏｔｈ（登録商標）やＷｉ−Ｆｉ（登録商標）やＮＦＣを利用した電波であってもよい。また、アンテナ１４、２１４Ｂの受信対象は、地上の基地局等から出力される電波であってもよい。
【００８９】
また、以上の説明では、日車１２は、時計中心軸線Ｘ１と平行な日車回転軸線Ｘ５を回転中心となるように配置すると説明したがこれに限らない。日車回転軸線は、時計中心軸線Ｘ１と同一としてもよい。また、軸線方向視において、アンテナ１４と日車１２の一部が重なるように配置されていてもよい。
【００９０】
以上の説明では、外装ケース２の本体部２１は、時計中心軸線Ｘ１を中心とした略円筒形状に形成されるものとして説明したがこれに限らない。本体部２１は、例えば、略矩形筒形状、略樽型筒形状等であってもよい。この場合、時計中心軸線Ｘ１は、上述したように軸線方向視にてムーブメントＭＭ１、ＭＭ２、ＭＭ２Ａ、ＭＭ２Ｂ、ＭＭ３、ＭＭ３Ａ、ＭＭ３Ｂ、外装ケース２の形状の幾何学的な重心位置を通る軸線として設定される。
【００９１】
以上の説明では、ソーラーセル９、２０９、２０９Ａ、３０９、３０９Ａ、３０９Ｂは、絶縁切断領域９５、３９５、３９５Ｂを有して構成されるものとして説明したがこれに限らず、絶縁切断領域９５、３９５、３９５Ｂを有さない構成であってもよい。また、電波時計１は、重複部位９３を備えない構成であってもよい。
【００９２】
以上の説明では、電波時計１は、物理的な指針６によって時刻を表示するアナログ式電子時計であるものと説明したがこれに限らない。電波時計１は、例えば、液晶表示部等によって時刻を表示するデジタル式電子時計であってもよい。また、電波時計１は、ベルト２５を介して腕に装着される腕時計であるものとして説明したがこれに限らない。電波時計１は、例えば、置き時計、掛け時計、懐中時計等であってもよい。また、電波時計１は、例えば、各種カメラ、ゲーム機器、携帯電話機、ＰＤＡ（Ｐｅｒｓｏｎａｌ  Ｄｉｇｉｔａｌ  Ａｓｓｉｓｔａｎｔ）、ノート型パーソナルコンピュータ等の携帯可能な情報端末装置、家庭電化製品や自動車を含む電子機器に適用されるものであってもよい。
【符号の説明】
【００９３】
１    電波時計
２    外装ケース
４    文字板
９、２０９、２０９Ａ、３０９、３０９Ａ、３０９Ｂ    ソーラーセル
１４、２１４Ｂ    アンテナ
１４ｂ、２１４ｂＢ    放射電極
１４ｄ、２１４ｄＢ    給電部
１５    前面側耐磁板（耐磁板）
１６    背面側耐磁板
４１    インデックス
９２、２９２、２９２Ａ、３９２、３９２Ａ、３９２Ｂ    切り欠き部
９２ａ、９２ｂ、２９２ｂ、２９２ｂＡ、３９２ｃ    辺
９５、３９５、３９５Ｂ    絶縁切断領域
ＭＭ１、ＭＭ２、ＭＭ２Ａ、ＭＭ２Ｂ、ＭＭ３、ＭＭ３Ａ、ＭＭ３Ｂ    ムーブメント
Ｗ    幅方向
Ｘ    軸線方向
Ｙ    径方向
Ｚ    周り方向
Ｘ１    時計中心軸線
Ｘ２    主針回転軸線
Ｘ３    副針回転軸線
【図１】
2019215169.tif 000003
【図２】
2019215169.tif 000004
【図３】
2019215169.tif 000005
【図４】
2019215169.tif 000006
【図５】
2019215169.tif 000007
【図６】
2019215169.tif 000008
【図７】
2019215169.tif 000009
【図８】
2019215169.tif 000010
【図９】
2019215169.tif 000011
【図１０】
2019215169.tif 000012